(57)【要約】【課題】従来の調整方法では、個々のテレビ装置について最適なパラメータを設定しているとはいえなかった。【解決手段】本発明は、テレビ装置の複数色温度ごとのホワイトバランス値の設定方法であって、テレビ装置の刺激値ＸＹＺ−階調特性を計測する計測ステップと、一の色温度でのホワイトバランス階調値及びその際の刺激値ＸＹＺを取得する取得ステップと、他の色温度の目標ホワイトバランス時の刺激値ＸＹＺを得るための前記一の色温度の刺激値ＸＹＺからの差分値を、前記計測ステップにて計測された一の色温度の刺激値ＸＹＺと、前記テレビ装置の刺激値ＸＹＺ−階調特性関数を利用して演算する演算ステップと、を有するホワイトバランス値の設定方法を提案する。【選択図】図１
2013135369.tif 000002
【特許請求の範囲】
【請求項１】
テレビ装置の複数色温度ごとのホワイトバランス値の設定方法であって、
テレビ装置の刺激値ＸＹＺ−階調特性を計測する計測ステップと、
一の色温度でのホワイトバランス階調値及びその際の刺激値ＸＹＺを取得する取得ステップと、
他の色温度の目標ホワイトバランス時の刺激値ＸＹＺを得るための前記一の色温度の刺激値ＸＹＺからの差分値を、前記計測ステップにて計測された一の色温度の刺激値ＸＹＺと、前記テレビ装置の刺激値ＸＹＺ−階調特性関数を利用して演算する演算ステップと、
を有するホワイトバランス値の設定方法。
【請求項２】
前記一の色温度は、ホワイトバランスの設定をする複数のポイントから任意に選択されるポイントの色温度である請求項１に記載のホワイトバランス値の設定方法。
【請求項３】
前記演算ステップでは、前記計測ステップにて計測された前記テレビ装置の刺激値ＸＹＺ−階調特性値のデータから近似関数を作成する近似関数作成サブステップと、
近似関数作成サブステップにて作成された近似関数を利用して前記演算をする近似関数利用サブステップと、
を含む請求項１又は２に記載のホワイトバランス値の設定方法。
【請求項４】
請求項１から３のいずれかに記載のホワイトバランス設定方法を工場出荷のテレビ装置毎に実施してテレビ装置を製造するテレビ装置の製造方法。
【請求項５】
テレビ装置の複数色温度ごとのホワイトバランス値を設定する装置であって、
テレビ装置の刺激値ＸＹＺ−階調特性を計測する計測部と、
一の色温度でのホワイトバランス階調値及びその際の刺激値ＸＹＺを取得する取得部と、
他の色温度の目標ホワイトバランス時の刺激値ＸＹＺを得るための前記一の色温度の刺激値ＸＹＺからの差分値を、前記計測部にて計測された一の色温度の刺激値ＸＹＺと、前記テレビ装置の刺激値ＸＹＺ−階調特性関数を利用して演算する演算部と、
を有するホワイトバランス値の設定装置。
【請求項６】
前記一の色温度は、ホワイトバランスの設定をする複数のポイント中から任意に選択されるポイントの色温度である請求項５に記載のホワイトバランス値の設定装置。
【請求項７】
前記演算部は、
前記計測部にて計測された前記テレビ装置の刺激値ＸＹＺ−階調特性値のデータから近似関数を作成する近似関数作成手段と、
近似関数作成手段にて作成された近似関数を利用して前記演算をする近似関数利用手段と、
を含む請求項５又は６に記載のホワイトバランス値の設定装置。
【発明の詳細な説明】
【技術分野】
【０００１】
本発明は、テレビ装置の複数色温度ごとのホワイトバランス値の設定方法などに関する。
【背景技術】
【０００２】
テレビ装置のディスプレイは、入力階調によって白色の色度が変化する特性をもっている。例えば、（Ｒ，Ｇ，Ｂ）＝（１２８，１２８，１２８）を入力階調としたときにディスプレイが発する白と、（Ｒ，Ｇ，Ｂ）＝（２５５，２５５，２５５）を入力階調としたときにディスプレイが発する白は異なることが多々ある。そこで、入力階調の差によって白色の色度が変化しないようにホワイトバランス調整を行う必要がある。
【０００３】
ホワイトバランス調整に関する先行技術文献としては、例えば特許文献１が存在する。特許文献１の画像表示装置は、画面全体で単色を表示した際に面内で色度及び輝度の分布（色度ムラ、輝度ムラ）が生じる場合、画面小区画毎に色度及び輝度を補正して、全体として色度ムラ・輝度ムラをなくすことを目的としている。また、同機種の複数のテレビ装置について色度や輝度の調整を行う方法として、１台のテレビ装置を代表として選択し、当該１台のテレビ装置のディスプレイについて複数の色温度でのホワイトバランス調整を行って、各色温度での補正パラメータを求め、その補正パラメータを他のテレビ装置に適用する方法が知られている。
【先行技術文献】
【特許文献】
【０００４】
【特許文献１】特開２００８−０８９４９
【発明の概要】
【発明が解決しようとする課題】
【０００５】
しかしながら、特許文献１に記載の画像表示装置では、輝度の補正に伴って生じる色度変化については考慮されておらず（輝度の変化に対して色度が一定であると仮定している）、輝度ムラを補正すると色度の補正パラメータが最適でなくなってしまうという問題があった。また、従来の一般的な調整方法では、１台のテレビ装置の補正パラメータを同機種の他の複数のテレビ装置に適用する結果、ディスプレイごとの特性のバラつきを考慮しておらず、個々のテレビ装置について最適なパラメータを設定しているとはいえなかった。
【課題を解決するための手段】
【０００６】
以上の課題を解決するために、本発明は、テレビ装置の複数色温度ごとのホワイトバランス値の設定方法であって、テレビ装置の刺激値ＸＹＺ−階調特性を計測する計測ステップと、一の色温度でのホワイトバランス階調値及びその際の刺激値ＸＹＺを取得する取得ステップと、他の色温度の目標ホワイトバランス時の刺激値ＸＹＺを得るための前記一の色温度の刺激値ＸＹＺからの差分値を、前記計測ステップにて計測された一の色温度の刺激値ＸＹＺと、前記テレビ装置の刺激値ＸＹＺ−階調特性関数を利用して演算する演算ステップと、を有するホワイトバランス値の設定方法を提案する。
【発明の効果】
【０００７】
以上のような構成をとる本発明は、各テレビ装置の刺激値ＸＹＺ−階調特性を用いるため、各テレビ装置についてより最適な補正パラメータを設定することが可能になる。
【図面の簡単な説明】
【０００８】
【図１】ホワイトバランス値の設定方法の一例を示す図
【図２】赤色（Ｒ）の階調に関する刺激値ＸＹＺ−階調特性を示す図
【図３】緑色（Ｇ）の階調に関する刺激値ＸＹＺ−階調特性を示す図
【図４】青色（Ｂ）の階調に関する刺激値ＸＹＺ−階調特性を示す図
【図５】各色温度での目標色度の情報を格納したテーブルを示す図
【図６】色温度1におけるホワイトバランス調整の結果得られるＲＧＢのホワイトバランス調整値の結果を示すテーブル
【図７】緑色（Ｇ）の刺激値ＸＹＺ−階調特性関数のＷＢ５点目とＷＢ６点目付近の階調値に関する刺激値ＸＹＺ−階調特性を示す図
【図８】青色（Ｂ）の刺激値ＸＹＺ−階調特性関数のＷＢ５点目とＷＢ６点目付近の階調値に関する刺激値ＸＹＺ−階調特性を示す図
【図９】緑色（Ｇ）の刺激値ＸＹＺ−階調特性関数のＷＢ４点目とＷＢ５点目付近の階調値に関する刺激値ＸＹＺ−階調特性を示す図
【図１０】赤色（Ｒ）の刺激値ＸＹＺ−階調特性関数のＷＢ４点目とＷＢ５点目付近の階調に関する刺激値ＸＹＺ−階調特性を示す図
【図１１】青色（Ｂ）の刺激値ＸＹＺ−階調特性関数のＷＢ４点目とＷＢ５点目付近の階調に関する刺激値ＸＹＺ−階調特性を示す図
【図１２】色温度2の各調整点に関して得られる補正パラメータを示すテーブル
【図１３】色温度3の各調整点に関して得られる補正パラメータを示すテーブル
【図１４】色温度4の各調整点に関して得られる補正パラメータを示すテーブル
【図１５】色温度5の各調整点に関して得られる補正パラメータを示すテーブル
【図１６】ホワイトバランス値を設定する装置の機能ブロックを示す図
【図１７】ホワイトバランス値の設定装置のハードウェア構成の一例を示す図
【発明を実施するための形態】
【０００９】
以下に、本発明にかかるコンテンツ再生装置の実施形態を説明する。なお、本発明はこれらの実施形態に何ら限定されるものではなく、その要旨を逸脱しない範囲内において、種々なる態様で実施しうる。
【００１０】
<<実施形態>>
【００１１】
<概要>
本実施形態の発明は、テレビ装置の複数色温度ごとのホワイトバランス値の設定方法などに関する。本実施形態のホワイトバランス値の設定方法は、テレビ装置の刺激値ＸＹＺ−階調特性を計測し、さらに一の色温度でのホワイトバランス階調値及びその際の刺激値ＸＹＺを取得する。そして、他の色温度の目標ホワイトバランス時の刺激値ＸＹＺを得るための一の色温度の刺激値ＸＹＺからの差分値を、計測された一の色温度の刺激値ＸＹＺと、テレビ装置の刺激値ＸＹＺ−階調特性関数を利用して演算することを特徴とする。
【００１２】
<構成>
図１は、本実施形態のホワイトバランス値の設定方法の一例を示す図である。この図にあるように、「ホワイトバランス値の設定方法」は、「計測ステップ」０１０１と、「取得ステップ」０１０２と、「演算ステップ」０１０３と、を有する。
【００１３】
「ホワイトバランス値の設定方法」は、テレビ装置の複数色温度ごとのホワイトバランス値を設定する方法である。ここで、色温度とは、光の色を人間の視覚が捉える際の感覚を数値で表したものであり、その数値の単位としては、温度の単位（Ｋ）が用いられる。高い色温度では白色物体を青みがかった白色で表示し、低い色温度では白色物体を赤みがかった白色で表示する。テレビ装置のユーザは、自分の好みやコンテンツの内容に応じて複数の色温度から一の色温度を選択することが可能である。例えば、コンテンツの内容が太陽の降り注ぐ南国の風景を映し出した映像である場合、高い色温度を選択して、南国の明るい雰囲気をさらに感じられるようにすることが考えられる。また、コンテンツの内容が秋の夕方の風景を映し出した映像である場合、低い色温度を選択して、秋の夕方の憂愁の雰囲気をさらに感じられるようにすることも考えられる。
【００１４】
「計測ステップ」は、テレビ装置の刺激値ＸＹＺ−階調特性を計測する。ここで、刺激値ＸＹＺ−階調特性は、テレビ装置において特定の階調の入力信号に対してディスプレイから出力される３つの刺激値（Ｘ、Ｙ、Ｚ）の関係を表す。上記計測ステップでは、赤色、青色、緑色について刺激値ＸＹＺ−階調特性を計測する。測定点の数は特に限定されるものではないが、各色の複数の階調値を計測点として選択し、他の階調値における刺激値ＸＹＺに関しては、線形補間によって近似的に算出することが可能である。以下では、入力階調値を８ビットで表し、０〜２５５の階調値の中から、任意の６つの入力階調値「tone1、tone2、tone3、tone4、tone5、tone6」を刺激値ＸＹＺの計測点として選択するものとする。また、各計測点をＷＢ（ホワイトバランス調整点）の何点目というように表し、入力階調値の小さい方から１点目と表す。
【００１５】
刺激値ＸＹＺの計測方法としては、ディスプレイから出力される光を３刺激値に対応する分光感度を有する３つのセンサで受光し、各センサの受光量を刺激値Ｘ、刺激値Ｙ、刺激値Ｚとして取得する方法や、赤色（Ｒ）、緑色（Ｇ）、青色（Ｂ）に対応する分光感度を有する３つのセンサで受光し、各センサの受光量を用いて刺激値Ｘ、刺激値Ｙ、刺激値Ｚを算出する方法が挙げられる。また、細かい波長区分ごとにセンサを設け、波長区分ごとのセンサの受光量と、波長区分ごとの各刺激値の分光感度の情報を用いて刺激値Ｘ、刺激値Ｙ、刺激値Ｚを積分計算により求める方法も可能である。図２〜４は、計測ステップにて計測されるテレビ装置の刺激値ＸＹＺ−階調特性を示す図である。図２は赤色（Ｒ）の階調に関する刺激値ＸＹＺ−階調特性を示す図であり、図３は緑色（Ｇ）の刺激値ＸＹＺ−階調特性を示す図であり、図４は青色（Ｂ）の刺激値ＸＹＺ−階調特性を示す図である。図２に示すように、赤色の階調を増やすとＸが一番増大し、次いでＹが増大し、Ｚはほとんど増大しない。また、図３に示すように、緑色の階調を増やとＹが一番増大し、次いでＸが増大し、Ｚが微増する。また、図４に示すように、青色の階調を増やすとＺが一番増大し、Ｘが微増し、Ｙはほとんど増大しない。
【００１６】
また、刺激値Ｘ、刺激値Ｙ、刺激値Ｚはｘ＝Ｘ／（Ｘ＋Ｙ＋Ｚ）、ｙ＝Ｙ／（Ｘ＋Ｙ＋Ｚ）の関係式を用いて色度ｘ、色度ｙに変換することが可能である。このため、テレビ装置の刺激値ＸＹＺ−階調特性から、原色各々の階調値の変化に対して色度ｘ、色度ｙがどれくらい変化するかも分かる。そして、色度ｘ、色度ｙを目標色度とするために原色各々の階調値をどの程度変化させる必要があるかを求めることができる。
【００１７】
「取得ステップ」は、一の色温度でのホワイトバランス階調値及びその際の刺激値ＸＹＺを取得する。ここで、一の色温度とは、予め設定された複数の色温度から選択される色温度である。例えば、複数の色温度として、T1[K](色温度1）、T2[K](色温度2）、T3[K](色温度3）、T4[K](色温度4）、T5[K](色温度5）、T6[K](色温度6）（※色温度１から順に色温度が高い値とする）が用意されている場合、ホワイトバランス調整を行う点としてこの５段階の色温度から一の色温度を選択する。どの色温度を選択するかは任意である。以下では、設定可能な色温度としてT1[K](色温度1）、T2[K](色温度2）、T3[K](色温度3）、T4[K](色温度4）、T5[K](色温度5）、T6[K](色温度6）が用意されており、一の色温度として色温度１を選択した場合について説明する。
【００１８】
選択した一の色温度についてホワイトバランス調整を行うために、一の色温度で目標とすべき色度を取得する。ここで、色度のｘ値およびｙ値は、ｘｙ表色系において用いられる色度座標であり、刺激値Ｘ、刺激値Ｙ、刺激値Ｚを用いて、ｘ＝Ｘ／（Ｘ＋Ｙ＋Ｚ）、ｙ＝Ｙ／（Ｘ＋Ｙ＋Ｚ）と表される。また、以下で説明する演算ステップにおいて、他の色温度での目標色度（ｘ_ｔ、ｙ_ｔ）が必要となる。よって、複数の色温度全てについて目標色度（ｘ、ｙ）の情報を保持しておく。図５は、各色温度での目標色度の情報を格納したテーブルを示す図である。上記テーブルは、ＥＥＰＲＯＭなどの不揮発性メモリに保持させることが主として考えられるが、必要に応じてネットワークを介して取得したり、入力装置を介して入力を受け付けたりしてもよい。
【００１９】
ホワイトバランス調整としては、例えば白色物体の映像を入力信号とし、その出力信号の色度ｘ、色度ｙが目標色度となるように、ＲＧＢの階調値の調整を行う。具体的には、所定階調値の白色映像をディスプレイに表示させ、ディスプレイから出力される刺激値Ｘ、刺激値Ｙ、刺激値Ｚを、各刺激値に対応するセンサで検出し、ｘ＝Ｘ／（Ｘ＋Ｙ＋Ｚ）、ｙ＝Ｙ／（Ｘ＋Ｙ＋Ｚ）の関係式を用いて色度ｘ、色度ｙを算出する。そして、算出された色度ｘ、色度ｙが目標色度ｘ_ｔ、目標色度ｙ_ｔとなるようにＲＧＢの階調値を調整する。そして、調整された階調値をホワイトバランス調整値として記憶する。なお、入力信号の階調値に応じてＲＧＢのホワイトバランス調整値は変化する。例えば、tone1階調の入力信号に対するＲＧＢのホワイトバランス調整値と、tone2階調の入力信号に対するＲＧＢのホワイトバランス調整値は異なる。よって、複数の階調値についてそれぞれＲＧＢの調整階調値を求める。図６は、色温度１におけるホワイトバランス調整の結果得られるＲＧＢのホワイトバランス調整値の結果を示すテーブルである。この図の例では、８ビット（２５６階調）の入力信号に対する各色の出力信号の階調値を１２ビットで指定することが可能であり、４０９６（２５６×１６）個の中から好ましい階調値を指定している。なお、全ての階調値についてホワイトバランス調整値を測定する必要はなく、複数の階調値についてホワイトバランス調整値を求め、その結果を用いて他の階調値のホワイトバランス調整値を線形補間により近似的に算出することが可能である。以下では、図６に示すように、色温度1におけるホワイトバランス調整の結果得られる各調整点のホワイトバランス調整値を、Ｒ_６、Ｇ_６、Ｂ_６、・・・、Ｒ_１、Ｇ_１、Ｂ_１と表す。
【００２０】
「演算ステップ」は、他の色温度の目標ホワイトバランス時の刺激値ＸＹＺを得るための前記一の色温度の刺激値ＸＹＺからの差分値を、前記計測ステップにて計測された一の色温度の刺激値ＸＹＺと、前記テレビ装置の刺激値ＸＹＺ−階調特性関数を利用して演算する。なお、一の色温度の刺激値ＸＹＺからの差分値に代えて、他の色温度の目標ホワイトバランス時の刺激値ＸＹＺの絶対値そのものを算出することも可能である。
【００２１】
具体的には、演算ステップでは、計測ステップにて計測されたテレビ装置の刺激値ＸＹＺ−階調特性値のデータから近似関数を作成し（近似関数作成サブステップ）、近似関数作成サブステップにて作成された近似関数を利用して前記演算をする（近似関数利用サブステップ）。ここで、近似関数は、測定点となる階調値に対する刺激値ＸＹＺから、測定点以外の他の階調値に対する刺激値ＸＹＺを求めるための関数であり、線形補間関数などが該当する。線形補間関数は主として一次関数とすることが考えられるが、二次以上の関数とすることも考えられる。また、近似関数の作成方法としては、隣接する測定点のデータを直線で連結して一次関数を作成する方法や、複数の測定点のデータに関して最小二乗法を適用して近似関数を作成する方法などが挙げられる。また、近似関数を利用して前記演算をするとは、計測ステップにて計測された一の色温度の刺激値ＸＹＺと、テレビ装置の刺激値ＸＹＺ−階調特性値のデータから作成される近似関数を用いて、他の色温度の目標ホワイトバランス時の刺激値ＸＹＺを得るための一の色温度の刺激値ＸＹＺからの差分値を算出することをいう。具体的な演算内容の例については、以下で説明する。
【００２２】
<色温度２の調整点６点目（入力階調値：tone6）の補正パラメータの算出>
【００２３】
（ステップＳ１−１）
図７、図８は、緑色（Ｇ）と青色（Ｂ）の刺激値ＸＹＺ−階調特性関数のＷＢ５点目（入力階調値：tone5）とＷＢ６点目（入力階調値：tone6）付近の階調値に関する刺激値ＸＹＺ−階調特性を示す図である。図７、図８に示すように、緑色（Ｇ）、青色（Ｂ）の刺激値ＸＹＺ−階調特性関数より、緑色（Ｇ）のＷＢ５点目（階調値：tone5）とＷＢ６点目（階調値：tone6）の刺激値Ｘ、刺激値Ｙ、刺激値Ｚの傾き（ＡＸｇ、ＡＹｇ、ＡＺｇ）と、青色（Ｂ）のＷＢ５点目とＷＢ６点目の刺激値Ｘ、刺激値Ｙ、刺激値Ｚの傾き（ＡＸｂ、ＡＹｂ、ＡＺｂ）は、以下のように算出することができる。
【００２４】
ＡＸｇ＝（Ｘｇ_６−Ｘｇ_５）／（tone6 - tone5）
ＡＹｇ＝（Ｙｇ_６−Ｙｇ_５）／（tone6 - tone5）
ＡＺｇ＝（Ｚｇ_６−Ｚｇ_５）／（tone6 - tone5）
上記ＡＸｇ、ＡＹｇ、ＡＺｇは、tone5〜tone6の範囲で緑色の入力階調（８ビット）が１変化した場合に、各刺激値がどれくらい変化するかを示す指標となる。
【００２５】
ＡＸｂ＝（Ｘｂ_６−Ｘｂ_５）／（tone6 - tone5）
ＡＹｂ＝（Ｙｂ_６−Ｙｂ_５）／（tone6 - tone5）
ＡＺｂ＝（Ｚｂ_６−Ｚｂ_５）／（tone6 - tone5）
上記ＡＸｂ、ＡＹｂ、ＡＺｂは、tone5〜tone6の範囲で青色の入力階調（８ビット）が１変化した場合に、各刺激値がどれくらい変化するかを示す指標となる。
【００２６】
（ステップＳ１−２）
ＷＢ６点目の色温度1の刺激値Ｘ６、刺激値Ｙ６、刺激値Ｚ６と、
ステップＳ１−１で算出した傾き（ＡＸｇ、ＡＹｇ、ＡＺｇ）、（ＡＸｂ、ＡＹｂ、ＡＺｂ）と、
色温度2にて目標となる色度ｘ_ｔ、ｙ_ｔと、から
下記の連立方程式を用いて、色温度1のホワイトバランス調整値（Ｇ_６、Ｂ_６）との差分値である色温度補正パラメータΔＧ_６、ΔＢ_６を求めることができる。
【数１】
2013135369.tif 000003
【００２７】
上記連立方程式により得られるΔＧ_６、ΔＢ_６を色温度1のホワイトバランス調整値（Ｇ_６、Ｂ_６）から引いて得られる値（Ｇ_６−ΔＧ_６、Ｂ_６−ΔＢ_６）が色温度2の対応する６点目のホワイトバランス調整値となる。なお、ＷＢ６点目に関しては、赤色の色温度補正パラメータΔＲ_６を０としているが、これは色温度を下げたにも関わらず赤みが減ってしまうことを避けるためである。つまり、色温度1のホワイトバランス調整値（Ｒ_６）は、色温度2の対応する６点目のホワイトバランス調整値となる。
【００２８】
<色温度2の調整点５−１点目の補正パラメータの算出>
【００２９】
（ステップＳ２−１）
上記で算出されたΔＧ_６の値を用いて、５点目の補正パラメータΔＧ_５を算出する。緑色（Ｇ）は、輝度との関連性が高いため、階調値に応じてなるべく定率で減らしていくことが好ましい。よって、まず以下の式３を用いてΔＧ_５を算出する。
ΔＧ_５＝Ｇ_５−［（Ｇ_６−ΔＧ_６）／tone6］×tone5
【００３０】
（ステップＳ２−２）
図９は、緑色（Ｇ）の刺激値ＸＹＺ−階調特性関数のＷＢ４点目（入力階調値：tone4）とＷＢ５点目（入力階調値：tone5）付近の階調値に関する刺激値ＸＹＺ−階調特性を示す図である。図９に示すように、緑色（Ｇ）の刺激値ＸＹＺ−階調特性関数より、緑色（Ｇ）のＷＢ４点目（階調値：tone4）とＷＢ５点目（階調値：tone5）の刺激値Ｘ、刺激値Ｙ、刺激値Ｚの傾き（ＡＸｇ、ＡＹｇ、ＡＺｇ）を以下のように算出することができる。
【００３１】
ＡＸｇ＝（Ｘｇ_５−Ｘｇ_４）／（tone5- tone4）
ＡＹｇ＝（Ｙｇ_５−Ｙｇ_４）／（tone5- tone4）
ＡＺｇ＝（Ｚｇ_５−Ｚｇ_４）／（tone5- tone4）
上記ＡＸｇ、ＡＹｇ、ＡＺｇは、tone4〜tone5の範囲で緑色の入力階調（８ビット）が１変化した場合に、各刺激値がどれくらい変化するかを示す指標となる。
【００３２】
（ステップＳ２−３）
次に、上記で求めた傾きＡＸｇ、ＡＹｇ、ＡＺｇから、以下の式を用いてΔＧ５による色度変化量ΔＸｇ、ΔＹｇ、ΔＺｇを求める。
【００３３】
ΔＸｇ＝ＡＸｇ×（tone5- tone4−ΔＧ_５）＋Ｘｇ４
ΔＹｇ＝ＡＹｇ×（tone5- tone4−ΔＧ_５）＋Ｙｇ４
ΔＺｇ＝ＡＺｇ×（tone5- tone4−ΔＧ_５）＋Ｚｇ４
【００３４】
（ステップＳ２−４）
次に、赤色（Ｒ）の階調−色度特性及び青色（Ｂ）の階調−色度特性より、ＷＢ４点目とＷＢ５点目のＸとＹとＺの傾き、（ＡＸｒ、ＡＹｒ、ＡＺｒ）、（ＡＸｂ、ＡＹｂ、ＡＺｂ）を求める。  図１０、図１１は、赤色（Ｒ）と青色（Ｂ）の刺激値ＸＹＺ−階調特性関数のＷＢ４点目（入力階調値：tone4）とＷＢ５点目（入力階調値：tone5）付近の階調に関する刺激値ＸＹＺ−階調特性を示す図である。図１０、図１１に示すように、赤色（Ｒ）、青色（Ｂ）の刺激値ＸＹＺ−階調特性関数より、赤色（Ｒ）のＷＢ４点目（入力階調値：tone4）とＷＢ５点目（入力階調値：tone5）の刺激値Ｘ、Ｙ、Ｚの傾き（ＡＸｒ、ＡＹｒ、ＡＺｒ）と、青色（Ｂ）のＷＢ４点目とＷＢ５点目の刺激値Ｘ、Ｙ、Ｚの傾き（ＡＸｂ、ＡＹｂ、ＡＺｂ）を以下のように算出することができる。
【００３５】
ＡＸｒ＝（Ｘｒ_５−Ｘｒ_４）／（tone5- tone4）
ＡＹｒ＝（Ｙｒ_５−Ｙｒ_４）／（tone5- tone4）
ＡＺｒ＝（Ｚｒ_５−Ｚｒ_４）／（tone5- tone4）
上記ＡＸｒ、ＡＹｒ、ＡＺｒは、tone4〜tone5の範囲で赤色の入力階調（８ビット）が１変化した場合に、各刺激値がどれくらい変化するかを示す指標となる。
【００３６】
ＡＸｂ＝（Ｘｂ_５−Ｘｂ_４）／（tone5- tone4）
ＡＹｂ＝（Ｙｂ_５−Ｙｂ_４）／（tone5- tone4）
ＡＺｂ＝（Ｚｂ_５−Ｚｂ_４）／（tone5- tone4）
上記ＡＸｂ、ＡＹｂ、ＡＺｂは、tone4〜tone5の範囲で青色の入力階調（８ビット）が１変化した場合に、各刺激値がどれくらい変化するかを示す指標となる。
【００３７】
（ステップＳ２−５）
次に、ＷＢ５点目の色温度1の測定値Ｘ５、Ｙ５、Ｚ５と、
上記で導出した傾きＡＸｒ、ＡＹｒ、ＡＺｒ、ＡＸｂ、ＡＹｂ、ＡＺｂと、
色温度2の目標とする色度ｘ_ｔ、ｙ_ｔとから、
下記の連立方程式を用いて色温度補正パラメータΔＲ_５、ΔＢ_５を求める。
【数２】
2013135369.tif 000004
【００３８】
上記ステップＳ２−１〜ステップＳ２−５で求まったΔＲ_５、ΔＢ_５、ΔＧ_５が調整点５点目の補正パラメータとなる。上記により得られるΔＲ_５、ΔＢ_５、ΔＧ_５を色温度1のホワイトバランス調整値（Ｒ_５、Ｂ_５、Ｇ_５）から引いて得られる値（Ｒ_５−ΔＲ_５、Ｂ_５−ΔＢ_５、Ｇ_５−ΔＧ_５）が色温度2の対応する５点目のホワイトバランス調整値となる。
【００３９】
（ステップＳ２−１〜ステップＳ２−５の繰り返し）
さらに、ＷＢ４点目からＷＢ１点目の色温度パラメータΔＲ４、ΔＢ４、ΔＧ４、・・・、ΔＲ１、ΔＢ１、ΔＧ１についても上記ステップＳ２−１〜ステップＳ２−５と同じ処理を行うことにより求める。結果として、色温度2の各調整点について補正パラメータが求まる。図１２は、色温度2の各調整点に関して得られる補正パラメータを示すテーブルである。
【００４０】
<他の色温度について>
また、他の色温度3、4、5の各調整点についても上記と同じ処理を行うことにより、複数の色温度に関して同様に補正パラメータを求めることができる。図１３、図１４、図１５は、色温度3、4、5の各調整点に関して得られる補正パラメータを示すテーブルである。これらの図の例でも、補正パラメータは、色温度1のホワイトバランス調整により決定された各階調値に対する差分値で表している。
【００４１】
<ホワイトバランス値の設定装置の機能ブロック>
図１６は、テレビ装置の複数色温度ごとのホワイトバランス値を設定する装置の機能ブロックを示す図である。この図にあるように、「ホワイトバランス値の設定装置」１６００は、「計測部」１６０１と、「取得部」１６０２と、「演算部」１６０３と、を有し、演算部は「近似関数作成手段」１６０４と、「近似関数利用手段」１６０５を含む。ここで、「計測部」は、テレビ装置の刺激値ＸＹＺ−階調特性を計測する。また、「取得部」は、一の色温度でのホワイトバランス階調値及びその際の刺激値ＸＹＺを取得する。また、「演算部」は、他の色温度の目標ホワイトバランス時の刺激値ＸＹＺを得るための前記一の色温度の刺激値ＸＹＺからの差分値を、前記計測部にて計測された一の色温度の刺激値ＸＹＺと、前記テレビ装置の刺激値ＸＹＺ−階調特性関数を利用して演算する。また、「近似関数作成手段」は、計測部にて計測されたテレビ装置の刺激値ＸＹＺ−階調特性値のデータから近似関数を作成する。また、「近似関数利用手段」は、近似関数作成手段にて作成された近似関数を利用して前記演算をする。なお、上記一の色温度は、ホワイトバランスの設定をする複数のポイント中から任意に選択されるポイントの色温度であり、例えば最も高い色温度や、最も低い色温度を選択することが可能である。
【００４２】
<ホワイトバランス値の設定装置のハードウェア構成>
図１７は、ホワイトバランス値の設定装置のハードウェア構成の一例を示す図である。この図にあるように、ホワイトバランス装置は、「ＣＰＵ」１７０１、「ＲＡＭ」１７０２、「ＲＯＭ」１７０３、「入力Ｉ／Ｆ」１７０４、「入力装置」１７０５、「Ｉ／Ｏボード」１７０６、「輝度計」１７０７、「ディスプレイＩ／Ｆ」１７０８、「ディスプレイ」１７０９などを備える。また、各構成部は、「システムバス」１７１０を介して相互に接続され、信号のやり取りを行うことが可能である。この図の例では、ホワイトバランス装置は、テレビ装置が備えるＣＰＵやＲＡＭなどのハードウェア構成を利用して実現されているが、必ずしもこの例に限定されるものではなく、テレビ装置とは独立したＣＰＵやＲＡＭなどを用いて実現することも可能である。
【００４３】
ＣＰＵは、ＲＡＭをワークエリアとして使用し、ＲＯＭに書き込まれた所定の制御プログラムを実行する。また、Ｉ／Ｏボードには、ケーブルを介して輝度計が接続されている。また、ディスプレイＩ／Ｆを介してディスプレイが接続されている。また、入力Ｉ／Ｆには、キーボード、マウスが接続されている。設定装置は、通信ポートを介してテレビ装置に対して白色の映像信号を出力し、テレビ装置はディスプレイを介して白色の映像信号を表示する。輝度計は、テレビ装置のディスプレイを撮像し、内部のＣＣＤ撮像素子、Ａ／Ｄ変換回路を介してＲＧＢ各色の輝度値を検出する。そして、当該輝度値の情報を設定装置に対して出力し、設定装置では、ＲＧＢ各色の輝度値から刺激値Ｘ、刺激値Ｙ、刺激値Ｚを算出する。さらに、設定装置では、刺激値Ｘ、刺激値Ｙ、刺激値Ｚから色度ｘ、色度ｙの値を算出する。ホワイトバランス値を設定するための具体的な内容は、上記で説明したホワイトバランス値の設定方法と同様であるため、説明を省略する。
【００４４】
<テレビ装置の製造方法>
また、上記記載のホワイトバランス設定方法を工場出荷のテレビ装置毎に実施してテレビ装置を製造することが可能である。なお、ホワイトバランス値の設定は、テレビ装置を製造する工場での最終調整工程において主として行われ、ホワイトバランス値がテレビ装置内部の不揮発性メモリに書き込まれる。
【００４５】
<効果>
以上のような構成をとる本発明は、各テレビ装置の刺激値ＸＹＺ−階調特性を用いるため、各テレビ装置についてより最適な補正パラメータを設定することが可能になる。
【符号の説明】
【００４６】
１６００…ホワイトバランス値の設定装置、１６０１…計測部、１６０２…取得部、１６０３…演算部、１６０４…近似関数作成手段、１６０５…近似関数利用手段、１７０１…ＣＰＵ、１７０２…ＲＡＭ、１７０３…ＲＯＭ、１７０４…入力Ｉ／Ｆ、１７０５…入力装置、１７０６…Ｉ／Ｏボード、１７０７…輝度計、１７０８…ディスプレイＩ／Ｆ、１７０９…ディスプレイ
【図１】
2013135369.tif 000005
【図２】
2013135369.tif 000006
【図３】
2013135369.tif 000007
【図４】
2013135369.tif 000008
【図５】
2013135369.tif 000009
【図６】
2013135369.tif 000010
【図７】
2013135369.tif 000011
【図８】
2013135369.tif 000012
【図９】
2013135369.tif 000013
【図１０】
2013135369.tif 000014
【図１１】
2013135369.tif 000015
【図１２】
2013135369.tif 000016
【図１３】
2013135369.tif 000017
【図１４】
2013135369.tif 000018
【図１５】
2013135369.tif 000019
【図１６】
2013135369.tif 000020
【図１７】
2013135369.tif 000021